(57)【特許請求の範囲】
【請求項１】
情報を表示するディスプレーを有し、画像又は音声などのマルチメディア情報を処理する端末装置であって、
当該端末装置で設定可能な２種類のパラメータを選択するパラメータ種別選択手段と、
前記選択された２種類のパラメータをそれぞれ縦軸及び横軸とし、それらパラメータを適正な値に設定するための推奨範囲を表示するグラフを生成するグラフ生成手段と、
前記グラフ生成手段で生成されたグラフ上の任意の位置を指定するグラフ指定手段と、
前記２種類のそれぞれのパラメータを、前記グラフ指定手段で指定されたグラフ上の位置に対応する値に設定するパラメータ値設定手段と、
前記パラメータ値設定手段で設定された前記２種類のパラメータの値で前記端末装置を動作させる制御手段と、
を有することを特徴とする端末装置。
【請求項２】
前記パラメータ値設定手段で設定され、前記制御手段で前記端末装置を動作させた、前記パラメータの値を履歴として記憶するパラメータ値記憶手段と、
前記パラメータ値記憶手段に記憶された前記パラメータ値を選択する履歴選択手段と
をさらに有し、
前記制御手段は、前記履歴選択手段で選択した前記パラメータ値で前記端末装置を動作させることを特徴とする請求項１に記載の端末装置。
【請求項３】
当該端末装置は、被写体を撮影する撮影手段を更に有し、
前記パラメータ種別選択手段で選択される２種類のパラメータは、前記撮影手段が被写体を撮影するための撮影パラメータであることを特徴とする請求項１又は２に記載の端末装置。
【請求項４】
前記撮影パラメータは、少なくとも、絞り、シャッター速度、撮影感度、フォーカス位置、ズーム倍率、露出補正、解像度、画像の圧縮率の１つを含むことを特徴とする請求項３に記載の端末装置。
【請求項５】
前記端末装置は、音楽又は音声を再生する音声再生手段を更に有し、
前記パラメータ種別選択手段で選択される２種類のパラメータは、前記音声再生手段が音楽又は音声を再生するためのパラメータであることを特徴とする請求項１又は２に記載の端末装置。
【請求項６】
前記再生パラメータは、少なくとも、周波数帯域、再生レベル、ステレオ音声の左右チャンネルの分離度、リバーブ量の一つを含むことを特徴とする請求項５に記載の端末装置。
【請求項７】
情報を表示するディスプレーを有し、画像又は音声などのマルチメディア情報を処理する端末装置で動作するプログラムであって、
当該端末装置で設定可能な２種類のパラメータを選択するパラメータ種別選択ステップと、
前記選択された２種類のパラメータをそれぞれ縦軸及び横軸とし、それらパラメータを適正な値に設定するための推奨範囲を表示するグラフを生成するグラフ生成ステップと、
前記グラフ生成ステップで生成されたグラフ上の任意の位置を指定するグラフ指定ステップと、
前記２種類のそれぞれのパラメータを、前記グラフ指定ステップで指定されたグラフ上の位置に対応する値に設定するパラメータ値設定ステップと、
前記パラメータ値設定ステップで設定された前記２種類のパラメータの値で前記端末装置を動作させる制御ステップと、
を有することを特徴とするプログラム。
【請求項８】
情報を表示するディスプレーを有し、画像又は音声などのマルチメディア情報を処理する端末装置で動作するプログラムを記録した記録媒体であって、
当該端末装置で設定可能な２種類のパラメータを選択するパラメータ種別選択ステップと、
前記選択された２種類のパラメータをそれぞれ縦軸及び横軸とし、それらパラメータを適正な値に設定するための推奨範囲を表示するグラフを生成するグラフ生成ステップと、
前記グラフ生成ステップで生成されたグラフ上の任意の位置を指定するグラフ指定ステップと、
前記２種類のそれぞれのパラメータを、前記グラフ指定ステップで指定されたグラフ上の位置に対応する値に設定するパラメータ値設定ステップと、
前記パラメータ値設定ステップで設定された前記２種類のパラメータの値で前記端末装置を動作させる制御ステップと、
を有するプログラムを記録した記録媒体。
【発明の詳細な説明】
【技術分野】
【０００１】
本発明は、端末装置に対して関連した２つのパラメータを指定する際に、適切なパラメータを容易に指定することのできる技術に関する。
【背景技術】
【０００２】
近年の様々な端末装置には、各種情報や画像を表示するための液晶パネルが装備されている。そして、その液晶パネルも年々大型化し、更にタッチパネルを用いたものも数多く発売されている。
【０００３】
タッチパネルは、２次元の情報を表示し、画面上を指またはポインティングデバイスで指定することで、表示された位置を特定することができるという特長を持っているため、メニュー表示以外にも様々に応用されている。
【０００４】
従来のカメラでは、カメラに設けられたダイアル、もしくは十字キーの矢印で絞り、シャッタースピードなどの個々のパラメータを調整して撮影していた。しかし、操作の利便性の点から、タッチパネルを採用したカメラも発売されている（例えば、特許文献１参照）。
【特許文献１】特開平８−２３４７２号公報
【発明の開示】
【発明が解決しようとする課題】
【０００５】
特許文献１に記載された技術を用いると、シャッタースピード、絞りを液晶画面から選択することができ、さらにその値が液晶画面に値として表示されるため操作が容易になるという効果を奏する。しかし、シャッタースピード、絞りは互いに関連して、撮影画像の優劣に影響を及ぼすため、初心者ユーザがそれらの設定値が適切であるかどうかを容易に判断できるとは限らなかった。
【０００６】
本発明はこのような事情に鑑みてなされたものであり、関連した２つのパラメータを指定する際に、適切なパラメータを容易に指定することのできる端末装置、プログラム及び記録媒体を提供することを目的とする。
【課題を解決するための手段】
【０００７】
上記課題を解決するための、本発明に係る請求項１に記載の端末装置は、情報を表示するディスプレーを有し、画像又は音声などのマルチメディア情報を処理する端末装置であって、当該端末装置で設定可能な２種類のパラメータを選択するパラメータ種別選択手段と、前記選択された２種類のパラメータをそれぞれ縦軸及び横軸とし、それらパラメータを適正な値に設定するための推奨範囲を表示するグラフを生成するグラフ生成手段と、前記グラフ生成手段で生成されたグラフ上の任意の位置を指定するグラフ指定手段と、前記２種類のそれぞれのパラメータを、前記グラフ指定手段で指定されたグラフ上の位置に対応する値に設定するパラメータ値設定手段と、前記パラメータ値設定手段で設定された前記２種類のパラメータの値で前記端末装置を動作させる制御手段とを有する。
【０００８】
また本発明に係る請求項２に記載の端末装置は、上記記載の発明である端末装置において、前記パラメータ値設定手段で設定され、前記制御手段で前記端末装置を動作させた、前記パラメータの値を履歴として記憶するパラメータ値記憶手段と、前記パラメータ値記憶手段に記憶された前記パラメータ値を選択する履歴選択手段とをさらに有し、前記制御手段は、前記履歴選択手段で選択した前記パラメータ値で前記端末装置を動作させる。
【０００９】
また本発明に係る請求項３に記載の端末装置は、上記記載の発明である端末装置において、当該端末装置は、被写体を撮影する撮影手段を更に有し、前記パラメータ種別選択手段で選択される２種類のパラメータは、前記撮影手段が被写体を撮影するための撮影パラメータである。
【００１０】
また本発明に係る請求項４に記載の端末装置は、上記記載の発明である端末装置において、前記撮影パラメータは、少なくとも、絞り、シャッター速度、撮影感度、フォーカス位置、ズーム倍率、露出補正、解像度、画像の圧縮率の１つを含む。
【００１１】
また本発明に係る請求項５に記載の端末装置は、上記記載の発明である端末装置において、前記端末装置は、音楽又は音声を再生する音声再生手段を更に有し、前記パラメータ種別選択手段で選択される２種類のパラメータは、前記音声再生手段が音楽又は音声を再生するためのパラメータである。
【００１２】
また本発明に係る請求項６に記載の端末は、上記記載の発明である端末装置において、前記再生パラメータは、少なくとも、周波数帯域、再生レベル、ステレオ音声の左右チャンネルの分離度、リバーブ量の一つを含む。
【００１３】
また本発明に係る請求項７に記載のプログラムは、情報を表示するディスプレーを有し、画像又は音声などのマルチメディア情報を処理する端末装置で動作するプログラムであって、当該端末装置で設定可能な２種類のパラメータを選択するパラメータ種別選択ステップと、前記選択された２種類のパラメータをそれぞれ縦軸及び横軸とし、それらパラメータを適正な値に設定するための推奨範囲を表示するグラフを生成するグラフ生成ステップと、前記グラフ生成ステップで生成されたグラフ上の任意の位置を指定するグラフ指定ステップと、前記２種類のそれぞれのパラメータを、前記グラフ指定ステップで指定されたグラフ上の位置に対応する値に設定するパラメータ値設定ステップと、前記パラメータ値設定ステップで設定された前記２種類のパラメータの値で前記端末装置を動作させる制御ステップとを有する。
【００１４】
また本発明に係る請求項８に記載の記録媒体は、情報を表示するディスプレーを有し、画像又は音声などのマルチメディア情報を処理する端末装置で動作するプログラムを記録した記録媒体であって、当該端末装置で設定可能な２種類のパラメータを選択するパラメータ種別選択ステップと、前記選択された２種類のパラメータをそれぞれ縦軸及び横軸とし、それらパラメータを適正な値に設定するための推奨範囲を表示するグラフを生成するグラフ生成ステップと、前記グラフ生成ステップで生成されたグラフ上の任意の位置を指定するグラフ指定ステップと、前記２種類のそれぞれのパラメータを、前記グラフ指定ステップで指定されたグラフ上の位置に対応する値に設定するパラメータ値設定ステップと、前記パラメータ値設定ステップで設定された前記２種類のパラメータの値で前記端末装置を動作させる制御ステップとを有するプログラムを記録した。
【発明の効果】
【００１５】
本発明によれば、関連した２つのパラメータを端末装置に指定する際に、適切なパラメータを容易に指定することができる。
【発明を実施するための最良の形態】
【００１６】
〔第１の実施の形態〕
本発明に係る端末装置の第１の実施の形態について、デジタルカメラを例として説明する。  
図１は、第１の実施の形態に係るデジタルカメラ１０の構成を示すブロック図である。  
デジタルカメラ１０は、表示部１１、操作入力部１２、通信部１３、外部メディアスロット１４、バッファメモリ１５、処理部１６、プログラム格納メモリ１７、撮影部１８及びセンサ検出部１９を備えている。
【００１７】
表示部１１は、タッチパネルで構成され、種々の情報を表示すると共に、情報入力手段としても使用される。操作入力部１２は、デジタルカメラ１０の動作を操作するためのレリーズ、十字ボタンなどの操作部材である。通信部１３は、カメラアクセサリであるレンズなどと情報の授受を行うための通信インターフェースである。外部メディアスロット１４は、記録媒体などを装着するためのスロットである。  
バッファメモリ１５は、デジタルカメラ１０の動作に関連する各種データを保存する。処理部１６は、デジタルカメラ１０の動作を統括して制御する。プログラム格納メモリ１７は、デジタルカメラ１０の各機能を実現するプログラムを保存する。撮影部１８は、被写体を撮影して電子データを生成する。センサ検出部１９は、被写体の輝度、被写体までの距離などのデータを測定する。
【００１８】
図２は、デジタルカメラ１０の表示部１１に表示されるパラメータ指定画面１の内容を示す図である。  
パラメータ指定画面１には、パラメータ表示領域２と履歴表示領域３とが設けられている。  
パラメータ表示領域２は、２次元座標平面を構成しており、このパラメータ表示領域２には、設定可能領域４が表示されている。設定可能領域４は、現在の撮影条件において、適切なパラメータ値を与える座標を示す領域である。  
図２では、横軸はシャッタスピード値、縦軸は絞り値を表している。そして、設定可能領域４には、パラメータ準推奨領域５とパラメータ推奨領域６とが表示されている。更に、パラメータ推奨領域６には、被写界深度が深い領域６ａ、適正な領域６ｂ、浅い領域６ｃが識別して表示されている。  
また履歴表示領域３には、ユーザが過去において設定し、撮影に使用したパラメータを選択するための履歴ボタン７が表示されている。
【００１９】
続いて、パラメータ指定画面１からパラメータを指定する方法について説明する。  
デジタルカメラ１０の撮影モードがマニュアルモードであり、適正範囲表示モードに選択されている場合は、図２に示すパラメータ指定画面１が表示部１１に表示される。  
ユーザは、パラメータ表示領域２に表示された設定可能領域４の所望の（任意の）ポイントを指またはポインティングデバイスで指定することができる。そうすると、指定された座標位置に対応するシャッタスピードと絞りがデジタルカメラ１０に設定され、レリーズボタンを操作すると、その設定値で撮影動作が行われる。
【００２０】
また、履歴表示領域３に表示された履歴ボタン７の内から１つを選択してポイントすると、その履歴ボタン７に対応するシャッタスピードと絞りが、設定可能領域４中に座標位置として明示して表示される。  
従って、ユーザは、過去の撮影に用いたパラメータ値が今回の撮影に適しているかどうかを直ちに判断して採用することができる。なお、履歴ボタン７には、ユーザの利便に供するために過去に撮影した画像データのサムネイル画像を表示しても良い。
【００２１】
次に、デジタルカメラ１０におけるパラメータ入力処理の概略の手順を図３乃至１２を参照しつつ説明する。なお、以下に説明する処理は、パラメータ入力処理機能の内主な機能に関する処理である。従って、以下の説明に記載されていない機能であっても、図１及び図２の説明に記載された機能は本パラメータ入力処理機能に含まれる。
【００２２】
図３は、デジタルカメラのメインの処理フローを示す図である。
【００２３】
図３のステップＳ０１において、デジタルカメラ１０の処理部１６は、カメラの各キーの入力状態をチェックする。ステップＳ０２において、電源スイッチのＯＦＦが入力がされた場合は、ステップＳ０５において、カメラのＰｏｗｅｒＳＷのみ検出するよう割り込みを設定し、スリープモードに移行する。  
一方、電源がＯＮの状態において、カメラのいずれかのキーが入力されたときは、ステップＳ０３において、カメラの各種キー入力を判定し、撮影処理、メニュー表示処理等を実行する。このキー入力処理については、後で詳細に説明する。  
そして、ステップＳ０４において、次のキー入力を待機し、キー入力なしで一定時間以上経過した場合、ステップＳ０５のスリープモードに移行する。
【００２４】
図４、図５は、キー入力処理の概略の手順を示すフロー図である。  
図４のステップＳ１１において、撮影モードがマニュアルモードかどうかを調べる。ステップＳ１１でＹｅｓの場合、即ち、撮影モードがマニュアルモードのときは、ステップＳ１２において、適正範囲の判定処理（図８）を起動する。この適正範囲の判定処理は、図２のパラメータ表示領域２に設定可能領域４を表示する処理である。
【００２５】
図８の処理を説明するに当たり、カメラにおける適正な露出を決定するための論理について説明する。  
ＥＶ（露出）と関係する値には、ＡＶ（絞り値：Ｆナンバー）、ＴＶ（シャッタスピード：シャッタ秒時）、ＢＶ（輝度値）、ＳＶ（感度値：ＩＳＯ）がある。そして、これらの値をＡＰＥＸ値で表した場合には、式（１）に示す関係が成立する。  
ＥＶ  ＝  ＡＶ  ＋  ＴＶ  ＝  ＢＶ  ＋  ＳＶ        ・・・（１）
ここで、ＡＰＥＸとは、Additive System of Photographic Exposureの略で、写真撮影のための換算システム規格である。図６には、ＡＰＥＸ値とそれぞれの値との換算表を示している。この表に示すように、ＡＰＥＸ値は、それぞれの値に対して０〜１０までの値に換算される。
【００２６】
次に、デジタルカメラ１０でＡＶ値とＴＶ値を決定する方法について説明する。  
デジタルカメラ１０は、レンズを通してセンサ検出部１９で測光した結果からＢＶ値を算出する。そして、撮像素子であるＣＣＤの感度特性からその固有の値であるＳＶ値を取り出す。そして、式（１）に基づいてＥＶ値を算出する。このＥＶ値から、ユーザは、ＡＶ値とＴＶ値を式（１）に適合するように選択すれば良い。デジタルカメラ１０では、算出されたＥＶ値から、自動的にＡＶ値とＴＶ値を決定するためにプログラム線図を用いている。
【００２７】
図７は、プログラム線図（ＩＳＯ１００の場合）を表す図である。  
図７の横軸はシャッタスピードを表し、縦軸は絞り値を表している。また、図中に示した斜めの線に対応して上部と右横に記載されている数字はＥＶ値を表している。  
そして、図中太い線で表された曲線（折れ線）がこのデジタルカメラにおける適切なＡＶ値とＴＶ値を与える線である。このプログラム線図によれば、デジタルカメラ１０の調整可能範囲は、絞りがＦナンバーで１．４〜１６、シャッタスピードが４〜１／４０００秒であることがわかる。  
具体的な例で説明すると、デジタルカメラ１０が算出したＥＶ値が１４であった場合は、斜めの線と曲線との交点である、Ｆナンバー：８、シャッタスピード：１／２５０秒が適切なパラメータとして決定される。
【００２８】
以上の説明の下で、図８、図９の適正範囲の判定処理について説明する。  
図８のステップＴ０１において、カメラが適正範囲表示モードであるかどうかを調べる。この適正範囲表示モードは、ユーザが操作入力部１２から所定の操作を行うことで設定することができる。ユーザが適正範囲表示モードに設定していない場合は、プレビュー表示モードとなり、被写体のスルー画像が表示部１１に表示される。
【００２９】
ステップＴ０１でＹｅｓの場合、即ち、カメラが適正範囲表示モードに設定されている場合は、ステップＴ０２において、処理部１６はレンズと通信を行って設定可能領域４の表示処理を開始する。なお、デジタルカメラ１０が一眼レフカメラの場合は、交換レンズとの通信を行う必要があるが、レンズ一体型カメラの場合は、この通信処理は必要ではない。
【００３０】
ステップＴ０３において、レンズからそのレンズのＦナンバーについてのテーブルを受信する。これは、レンズ毎に使用可能な絞りの範囲が異なるからである。ステップＴ０４において、受信したＦナンバーのテーブルを、以降の処理のために配列Ａに記載する。なお、この配列の最大数をＡ−ＭＡＸとする。  
ステップＴ０５において、デジタルカメラ１０の内部テーブルから使用可能なシャッタスピードの範囲についての情報を読み出す。そして、ステップＴ０６において、読み出したシャッタスピードの情報を、以降の処理のために配列Ｂに記載する。なお、この配列の最大数をＢ−ＭＡＸとする。  
そして、ステップＴ０７において、Ｆナンバーとシャッタスピードの範囲をパラメータ表示領域２に表示する。
【００３１】
次に、被写界深度を計算する。  
図１０には、被写界深度を与える式を示している。  
被写界深度には、前方被写界深度Ｌｆと後方被写界深度Ｌｒとが定義されている。この前方被写界深度Ｌｆと後方被写界深度Ｌｒとを算出するためには、レンズからの情報と、ＣＣＤに関する情報が必要である。即ち、レンズからの情報としては、レンズの明るさ（Ｆナンバー）、被写体までの距離Ｌ、レンズの焦点距離ｆである。ＣＣＤに関する情報としては、ＣＣＤの対角長ｌ、解像識別能力Ｇ、プリント時の対角長Ｐｌである。  
図８に戻り、ステップＴ０８において、露出計算を行うためのＢＶ値とＳＶ値（ＩＳＯ）を取得する。また、被写界深度を計算するためにＣＣＤ対角長、焦点距離、被写体距離などを取得する。
【００３２】
ステップＴ１５において、処理パラメータＩ、Ｊを初期値（＝１）に設定して、適正範囲表示のための繰り返し処理（ステップＴ１６〜Ｔ２４）を実行する。  
設定可能領域４を区分して表示するために、このデジタルカメラで設定することのできる絞りとシャッタスピードのそれぞれの組合せが適正範囲にあるかどうかを判断する。
【００３３】
ステップＴ１６において、配列Ａの内の１つの（Ｉ番目の）ＦナンバーをＡＰＥＸ値に変換する。またステップＴ１７において、配列Ｂの内の１つの（Ｊ番目の）シャッタスピードをＡＰＥＸ値に変換する。そして、ステップＴ１８において、これらのＡＰＥＸ値を加算してＥＶ値を求め、ステップＴ１９に示す適正範囲の表示処理（図１１）を実行して、パラメータ表示領域２にその座標位置が設定可能かどうかを識別する表示を行う。  
この処理を絞りとシャッタスピードの全ての組合せについて実行することで設定可能領域４を表示することができる。
【００３４】
なお、ステップＴ０１でＮｏの場合、即ち、カメラが適正範囲表示モードに設定されていない場合は、ステップＴ２５において、被写体のスルー画を表示部１１に表示する。
【００３５】
図１１は、適正範囲の表示処理を示す概略のフロー図である。  
この処理では、図９の適正範囲の判定処理のステップＴ１８において算出したＦナンバーとシャッタスピードとに基づくＥＶ値を基準のＥＶ値（以下、ＥＶ０と表す）と比較する。ここで、ＥＶ０はカメラが測定して求めたＢＶ値と、ＳＶ値とから算出した露出値である。
【００３６】
ステップＰ０１において、ＥＶ値が適正な領域にある場合、即ち、式（２）の関係が成立している場合は、ステップＰ０２において、タッチパネル上のその座標点を含む所定領域を指定色Ａで塗りつぶす。  
｜  ＥＶ  −  ＥＶ０  ｜  ＜＝  α        ・・・（２）
ステップＰ０３において、ＥＶ値が一段下にある場合、即ち、式（３）の関係が成立している場合は、ステップＰ０４において、タッチパネル上のその座標点を含む所定領域を指定色Ｂで塗りつぶす。  
−β  ＜  ＥＶ  −  ＥＶ０    ＜  −α      ・・・（３）
ステップＰ０５において、ＥＶ値が一段上にある場合、即ち、式（４）の関係が成立している場合は、ステップＰ０６において、タッチパネル上のその座標点を含む所定領域を指定色Ｃで塗りつぶす。  
α  ＜  ＥＶ  −  ＥＶ０    ＜  γ      ・・・（４）
次に、Ｆナンバーを用いて算出した前方被写界深度Ｌｆと後方被写界深度Ｌｒとから被写界深度の深さを判断する。
【００３７】
ステップＰ０７において、被写界深度が浅い場合、即ち、式（５）の関係が成立している場合は、ステップＰ０８において、タッチパネル上のその座標点を含む所定領域を指定パターンＤで上書きする。  
Ｌｒ  −  Ｌｆ  ＜＝  δ                  ・・・（５）
ステップＰ０９において、被写界深度が適切の場合、即ち、式（６）の関係が成立している場合は、ステップＰ１０において、タッチパネル上のその座標点を含む所定領域を指定パターンＥで上書きする。  
δ  ＜  Ｌｒ  −  Ｌｆ  ＜  ε            ・・・（６）
ステップＰ１１において、被写界深度が深い場合、即ち、式（７）の関係が成立している場合は、ステップＰ１２において、タッチパネル上のその座標点を含む所定領域を指定パターンＦで上書きする。  
ε  ＜＝  Ｌｒ  −  Ｌｆ                  ・・・（７）
図４のキー入力処理に戻り、ステップＳ１２の適用範囲の判定処理を終了し、ステップＳ１３において履歴ボタン７を操作すると、ステップＳ１４に示すＨｉｓｔｏｒｙ判定処理（図１２）を実行する。
【００３８】
図１２のステップＴ３１において、過去に操作したＦナンバーを配列として記録している履歴テーブルＨＡを読み出す。また、ステップＴ３２において、過去に操作したシャッタスピードを配列として記録している履歴テーブルＨＢを読み出す。  
ステップＴ３３において、操作された履歴ボタン７から、何番目の履歴ボタン７が押されたかを調べ、その番号Ｉを履歴番号Ｉとして設定する。そして、ステップＴ３４において、履歴テーブルＨＡのＩ番目に記録されているＦナンバーを読み出し、ステップＴ３５において、履歴テーブルＨＢのＩ番目に記録されているシャッタスピードを読み出す。
【００３９】
ステップＴ３６、Ｔ３７において、読み出したＦナンバーとシャッタスピードとをそれぞれＡＰＥＸ値に変換して、ステップＴ３８において、ＥＶ値を算出する。
【００４０】
そして、ステップＴ３９において、適正範囲の表示処理（図１１）を実行する。適正範囲の表示処理では、図１１で説明した指定パターンとは異なる指定パターンを表示するものとする。従ってこの処理によって、過去に設定したＦナンバーとシャッタスピードとが設定可能領域４内に明示して表示される。この結果、ユーザは表示された位置と同じ位置を押すだけの操作で、過去に設定したパラメータを容易に使用することができる。  
なお、その他の処理は既に説明した処理と同一であるため、適正範囲の表示処理についての再度の詳細の説明は省略する。
【００４１】
図４に戻り、ステップＳ１５でＹｅｓの場合、即ち、ユーザが設定可能領域４内の所望の位置を指定すると、ステップＳ１６において、ユーザが指定したＸＹ座標値を読み出す。そして、ステップＳ１７、Ｓ１８において、そのＸＹ座標値から対応する絞りとシャッタスピードとを算出して、カメラに設定値として設定する。  
そして、ステップＳ１９において、履歴保存フラグＳＡＶをセット（＝１）する。なお、ステップＳ１１でＮｏの場合、即ち、撮影モードがマニュアルモードでない場合、あるいは、ステップＳ１５でＮｏの場合、即ち、ユーザが設定可能領域４内の所望の位置を指定していない場合は、ステップＳ２０において、履歴保存フラグＳＡＶをリセット（＝０）する。
【００４２】
次に、ステップＳ２５でＹｅｓの場合、即ち、レリーズボタンが押されたときは、ステップＳ２６において、撮影動作を実行する。そして、ステップＳ２７でＹｅｓの場合、即ち、履歴保存フラグＳＡＶがセット（＝１）されているときは、ステップＳ２８において、撮影に使用したＦナンバーとシャッタスピードとを履歴テーブルＨＡ、ＨＢに記録し、ステップＳ２９において、履歴保存フラグＳＡＶをリセット（＝０）する。  
ステップＳ３０でＹｅｓの場合、即ち、ユーザがその他のキーを押したときは、ステップＳ３１において、それぞれのキーに対応する処理を実行し、キー入力処理を修了する。
【００４３】
〔その他の実施の形態〕
第１の実施の形態では、カメラについて絞りとシャッタスピードをパラメータとする例について説明した。しかし、本発明はこの実施の形態に限られず幅広く適用することが可能である。  
図１３は、他に応用する場合の形態を表にして示す図である。
【００４４】
（１）カメラへの他の応用例としては、解像度と圧縮率を設定する場合、タッチパネルに画像サイズを表示して、望ましい範囲の値を入力させる方法がある。  
図１４は、解像度、圧縮率を指定する画面を示す図である。  
カメラは、その時の撮影モード等を判断して、推奨する設定値の範囲を表示する。例えば、撮影モードが夜景の場合は、高解像度にすると手振れが顕著となるため、解像度を低く設定することを推奨する。
【００４５】
また、パラメータの組み合わせについては、上述の例に限定されず、絞り、シャッター速度、撮影感度、フォーカス位置、ズーム倍率、露出補正、解像度、画像の圧縮率の内から任意に選択するものであっても良い。
【００４６】
（２）画像処理関連での適用例としては、輝度とコントラストを設定する場合、タッチパネルに推奨する設定値範囲を表示する。また、画像のコントラストと画像のシャープネスを設定する場合、タッチパネルには推奨する色合いを表示する、等があげられる。
【００４７】
（３）ミュージックデバイスでの適用例としては、グラフィックイコライザの周波数とレベルとを設定する場合、タッチパネルに推奨する設定値範囲を表示する。また、スピーカの左右の分離度とリバーブ（残響）時間を設定する場合、タッチパネルに推奨する設定値範囲を表示する、等があげられる。  
図１５は、他の実施の形態に係るミュージックデバイス３０の構成を示すブロック図である。  
ミュージックデバイス３０は、表示部３１、操作入力部３２、通信部３３、バッファメモリ３４、エフェクト処理部３５、処理部３６、プログラム格納メモリ３７、音声出力部３８及び外部メディアスロット３９を備えている。
【００４８】
表示部３１は、タッチパネルで構成され、種々の情報を表示すると共に、情報入力手段としても使用される。操作入力部３２は、ミュージックデバイス３０の動作を操作するためのスイッチ、ボタンなどの操作部材である。通信部３３は、他のデバイスなどと情報の授受を行うための通信インターフェースである。バッファメモリ３４は、ミュージックデバイス３０の動作に関連する各種データを保存する。  
エフェクト処理部３５は、音声のステレオ、残響などの効果（エフェクト）を処理する。
【００４９】
処理部３６は、ミュージックデバイス３０の動作を統括して制御する。プログラム格納メモリ３７は、ミュージックデバイス３０の各機能を実現するプログラムを保存する。音声出力部３８は、エフェクト処理されたデータを音声として再生する。外部メディアスロット３９は、記録媒体などを装着するためのスロットである。
【００５０】
図１６は、ミュージックデバイス３０の表示部３１に表示されるパラメータ指定画面４１の内容を示す図である。  
パラメータ指定画面４１には、スピーカの左右の分離度とリバーブ（残響）時間をパラメータとする２次元座標平面が表示され、更に、再生する音楽の種類、周波数分布などに基づいて推奨する設定値範囲が表示される。  
ユーザがそのＸＹ座標を指定することで、指定されたパラメータの値が特定され、処理部３６を介してエフェクト処理部３５に設定される。エフェクト処理された後のデータは、音声出力部３８に送られて再生される。
【００５１】
なお、上述の各実施の形態において指定するパラメータは、ユーザが任意に選択するように構成しても良い。
【００５２】
〔実施の形態の効果〕
以上説明した各実施の形態では、タッチパネル上に表示された、縦方向パラメータの指定範囲と横方向のパラメータの設定可能範囲を縦方向、横方向にそれぞれ表示する。そして、各設定範囲で、デバイス上で２つの関連したパラメータの組み合わせで適切な範囲をタッチパネルに表示する。  
このように、設定する際にタッチパネル上に適正な設定範囲のガイドラインを表示することで、ユーザが視覚的にわかりやすく、入力時に間違いのない指定を可能とする。  
また、履歴機能により、以前指定したポイントを記憶しておき、その履歴を呼び出して設定する機能をもつ。  
従って、ユーザが適切なパラメータの組み合わせを簡便に指定することができる。
【００５３】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００５４】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００５５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５６】
【図１】第１の実施の形態に係るデジタルカメラの構成を示すブロック図。
【図２】デジタルカメラの表示部に表示されるパラメータ指定画面を示す図。
【図３】デジタルカメラのメインの処理フローを示す図。
【図４】キー入力処理の概略の手順を示すフロー図。
【図５】キー入力処理の概略の手順を示すフロー図。
【図６】ＡＰＥＸ値とそれぞれの値との換算表を示す図。
【図７】プログラム線図を表す図。
【図８】適正範囲の判定処理を示すフロー図。
【図９】適正範囲の判定処理を示すフロー図。
【図１０】被写界深度を与える式を示す図。
【図１１】適正範囲の表示処理を示す概略のフロー図。
【図１２】Ｈｉｓｔｏｒｙ判定処理示す概略のフロー図。
【図１３】他に応用する場合の形態を表にして示す図。
【図１４】解像度、圧縮率を指定する画面を示す図。
【図１５】ミュージックデバイスの構成を示すブロック図。
【図１６】ミュージックデバイスの表示部に表示されるパラメータ指定画面を示す図。
【符号の説明】
【００５７】
１…パラメータ指定画面、２…パラメータ表示領域、３…履歴表示領域、４…設定可能領域、５…パラメータ準推奨領域、６…パラメータ推奨領域、７…履歴ボタン、１０…デジタルカメラ、１１…表示部、１２…操作入力部、１３…通信部、１６…処理部、１８…撮影部、１９…センサ検出部、３０…ミュージックデバイス、３１…表示部、３２…操作入力部、３３…通信部、３６…処理部、３８…音声出力部、４１…パラメータ指定画面。
【図１】
0004580831.tif 000002
【図２】
0004580831.tif 000003
【図３】
0004580831.tif 000004
【図４】
0004580831.tif 000005
【図５】
0004580831.tif 000006
【図６】
0004580831.tif 000007
【図７】
0004580831.tif 000008
【図８】
0004580831.tif 000009
【図９】
0004580831.tif 000010
【図１０】
0004580831.tif 000011
【図１１】
0004580831.tif 000012
【図１２】
0004580831.tif 000013
【図１３】
0004580831.tif 000014
【図１４】
0004580831.tif 000015
【図１５】
0004580831.tif 000016
【図１６】
0004580831.tif 000017